(57)【要約】【課題】交流電源出力コンセント及びネットワーク通信出力用コネクタを同時に無停電化することができて、ＩＰ電話、コンピュータ端末装置、ＷＥＢカメラ等の近くに設置できて、ネットワーク端末装置の無停電化が容易に実現できる無停電電源装置を提供すること。【解決手段】交流電源を出力する交流電源出力コンセント２１と、通信ラインを入力するネットワーク通信入力用コネクタ１６と、該ネットワーク通信入力用コネクタ１６からの通信ラインの信号と直流電源をネットワーク端末装置に出力するためのネットワーク通信出力用コネクタ１７とを備え、停電発生時に無停電電源装置に内蔵したバッテリ６からの電源を前記ネットワーク通信出力用コネクタ１７に供給するようにする。【選択図】  図１
2007060802.tif 000002
【特許請求の範囲】
【請求項１】
交流電源を出力する交流電源出力コンセントと、通信ケーブルを接続するネットワーク通信入力用コネクタと、該ネットワーク通信入力用コネクタからの信号と電源をネットワーク端末装置に出力するためのネットワーク通信出力用コネクタとを備え、
停電発生時に無停電電源装置に内蔵したバッテリからの電源を前記ネットワーク通信出力用コネクタに供給することを特徴とする無停電電源装置。
【請求項２】
前記ネットワーク通信入力用コネクタと前記ネットワーク通信出力用コネクタ間の信号ラインにサージ電圧抑制手段を設けたことを特徴とする請求項１記載の無停電電源装置。
【請求項３】
前記交流電源出力コンセント及び前記ネットワーク通信出力用コネクタを同時に無停電化するようにしたことを特徴とする請求項１記載の無停電電源装置。
【請求項４】
無停電化した前記交流電源出力コンセント及び前記ネットワーク通信出力用コネクタの電源出力タイミング及び電源遮断タイミングをプログラマブルに設定できるようにしたことを特徴とする請求項１記載の無停電電源装置。
【請求項５】
交流電源を出力する交流電源出力コンセントと、通信ケーブルを接続するネットワーク通信入力用コネクタと、該ネットワーク通信入力用コネクタからの信号と電源をネットワーク端末装置に出力するためのネットワーク通信出力用コネクタと、前記ネットワーク端末装置との通信を行う通信用コネクタとを備え、
停電発生時に前記交流電源出力コンセントから電源を供給している前記ネットワーク端末装置に前記通信用コネクタから停電通知信号を出力し、該ネットワーク端末装置からのシャットダウン信号を受信後、前記交流電源出力コンセントへの交流電源を遮断して、無停電電源装置に内蔵したバッテリからの電源を前記ネットワーク通信出力用コネクタに継続して供給するようにしたことを特徴とする無停電電源装置。
【発明の詳細な説明】
【技術分野】
【０００１】
本発明は、無停電電源装置に係り、特に、端末装置に通信ケーブルを介して停電時でも電力の供給可能な無停電電源装置に関する。
【背景技術】
【０００２】
近年、ＬＡＮ、ＷＡＮ等（ＬＡＮ等と称する）の通信網としてのコンピュータ通信ネットワークを介してコンピュータ端末装置によるデータ通信、ＩＰ電話による音声データの通信が行われている。コンピュータ通信ネットワークに接続されているコンピュータ端末装置、ＩＰ電話等のネットワーク端末装置は、停電に備えて無停電電源装置が用いられている。図７は、ネットワーク端末装置に従来の無停電電源装置を用いてネットワークを構成した一例を示す図である。図７に示すように、ＬＡＮ等の通信網２３に接続されたＨＵＢ（ハブ）２４は、無停電電源装置（以下、ＵＰＳとも称する）３０ａから電源が供給されて無停電化が行われている。また、ネットワーク端末装置としてのコンピュータ端末装置２７及びＩＰ電話３３は、他のＵＰＳ３０ｂから電源が供給されて無停電化が行われている。ＩＰ電話３３の無停電化は、音声電話のように電話回線からの給電が受けられないため、停電時でも電話の着信、発信が行えるようにするため、ＩＰ電話３３には、ＡＣアダプタ３５を経由して無停電電源装置３０ｂからの電源が供給される。
【０００３】
ＩＰ電話３３は、通信ケーブル２５ａによりＨＵＢ２４と接続されるとともに、ＩＰ電話３３の他の通信用コネクタから通信ケーブル２５ｂを介してコンピュータ端末装置２７の通信用回路に接続されている。
【０００４】
図８は、ＨＵＢにＰｏＥ（Ｐｏｗｅｒ  ｏｖｅｒ  Ｅｔｈｅｒｎｅｔ（登録商標））機能を備えた無停電電源装置を用いてネットワークを構成した図である。図８に示すように、ＰｏＥ機能付ＨＵＢ３１は、通信用コネクタに電源を供給するようにして、通信ケーブル２５を介してＩＰ電話２６に電源を供給する。また、停電に備えてＰｏＥ機能付ＨＵＢ３１は、ＵＰＳ３０ｃで無停電化される。これにより、ＩＰ電話２６は、ＡＣアダプタが不要となり、停電時でも通信ケーブル２５を介して電源が供給されるため、ＩＰ電話２６の着信、発信およびコンピュータ端末装置２７によるデータ通信が可能となる。なお、ＰｏＥには、テータの送受信と給電を通信ケーブルの同一の信号線で行う方式と、データの送受信と給電を通信ケーブルの異なる信号線で行う方式とが知られている。また、図７に示すＩＰ電話３３は、ＡＣアダプタで電源を供給するタイプのものであり、図８に示すＩＰ電話２６は、通信ケーブルから電源を供給するタイプであり、コンピュータ端末装置２７には、ＵＰＳ３０ｄが接続されて無停電化されている。
【０００５】
また、停電が発生しても連続的に作動するハブ機能を備えた無停電電源装置が、特許文献１に開示されている。
【０００６】
【特許文献１】特開２００１−３３３５４７
【発明の開示】
【発明が解決しようとする課題】
【０００７】
図７に示すように、従来の無停電電源装置を用いたコンピュータ通信ネットワークは、コンピュータ端末装置２７とＡＣアダプタ３５が接続されたＩＰ電話３３への給電を無停電電源装置であるＵＰＳ３０ｂから供給するため、ＩＰ電話３３をＵＰＳ３０ｂの近くに設置する必要があり、ＩＰ電話３３の設置場所が制限されていた。
【０００８】
また、図８に示すＰｏＥ機能付ＨＵＢ３１に無停電電源装置であるＵＰＳ３０ｃを使用した場合には、ＩＰ電話２６には停電発生時に、ＰｏＥ機能付ＨＵＢ３１からの通信ケーブル２５により電源が供給されるが、図８に示すように、コンピュータ端末装置２７にも無停電電源装置であるＵＰＳ３０ｄが必要となる。
【０００９】
また、無線ＬＡＮ等のアクセスポイントで使用する送受波器は、天井又は天井近くの壁に設置されており、停電対策としてバッテリー等の一次電池が使用されているが、定期的に電池交換等が必要となるため保守点検等で作業効率が悪かった。また、送受波器に電源を供給する必要があり、通信ケーブルとは別に電源ラインの配線も必要となる。
【００１０】
また、特許文献１に開示されているハブ機能を備えた無停電電源装置では、通信ケーブルに電源が供給されていないため、停電に備えて無停電電源装置のハブに接続されているＩＰ電話等を他の無停電電源装置を用いて無停電化する必要がある。
【００１１】
更に、従来の無停電電源装置では交流電源出力と同時にＰｏＥ給電された通信ラインを同時に無停電化することができないため、ＩＰ電話、コンピュータ端末装置、ＷＥＢカメラ等のネットワーク端末装置毎に無停電電源装置を設置する必要があるため、ネットワーク端末装置の無停電化が容易に行えなかった。即ち、現存するＬＡＮ等によるコンピュータネットワークを使用して、新たにＩＰ電話、無線ＬＡＮ等のアクセスポイントを導入する際には、新たなネットワークの構築が必要となる。このため、現存する通信ケーブルの配線網を活用できることが望まれている。
【００１２】
また、雷等によるサージ電圧は、交流電源供給部のみならず通信ラインからも侵入して、通信ラインに接続している機器を破壊する恐れがある。このため、通信ラインからのサージ電圧に対しても機器の保護対策が必要となる。
【００１３】
そこで、本発明は、無停電電源装置に通信ケーブル用の入力コネクタを設けて、入力コネクタからの通信ラインの信号と直流電源をネットワーク端末装置に出力するためのネットワーク通信出力用コネクタとを備えて、通信ケーブルを介してネットワーク端末装置に電源を供給することにより、停電発生時に無停電電源装置に内蔵したバッテリからの電源をネットワーク通信出力用コネクタに供給してネットワーク端末装置を無停電化することが可能な無停電電源装置を提供することを目的とする。
【課題を解決するための手段】
【００１４】
本発明による無停電電源装置は、交流電源を出力する交流電源出力コンセントと、通信ケーブルを接続するネットワーク通信入力用コネクタと、該ネットワーク通信入力用コネクタからの信号と電源をネットワーク端末装置に出力するためのネットワーク通信出力用コネクタとを備え、停電発生時に無停電電源装置に内蔵したバッテリからの電源を前記ネットワーク通信出力用コネクタに供給することを特徴とする。
【００１５】
また、本発明による無停電電源装置は、前記ネットワーク通信入力用コネクタと前記ネットワーク通信出力用コネクタ間の信号ラインにサージ電圧抑制手段を設けたことを特徴とする。
【００１６】
また、本発明による無停電電源装置は、前記交流電源出力コンセント及び前記ネットワーク通信出力用コネクタを同時に無停電化するようにしたことを特徴とする。
【００１７】
本発明による無停電電源装置は、無停電化した前記交流電源出力コンセント及び前記ネットワーク通信出力用コネクタの電源出力タイミング及び電源遮断タイミングをプログラマブルに設定できるようにしたことを特徴とする。
【００１８】
本発明による無停電電源装置は、交流電源を出力する交流電源出力コンセントと、通信ケーブルを接続するネットワーク通信入力用コネクタと、該ネットワーク通信入力用コネクタからの信号と電源をネットワーク端末装置に出力するためのネットワーク通信出力用コネクタと、前記ネットワーク端末装置との通信を行う通信用コネクタとを備え、停電発生時に前記交流電源出力コンセントから電源を供給している前記ネットワーク端末装置に前記通信用コネクタから停電通知信号を出力し、該ネットワーク端末装置からのシャットダウン信号を受信後、前記交流電源出力コンセントへの交流電源を遮断して、無停電電源装置に内蔵したバッテリからの電源を前記ネットワーク通信出力用コネクタに継続して供給するようにしたことを特徴とする。
【発明の効果】
【００１９】
本発明による無停電電源装置によれば、ネットワーク通信入力用コネクタからの信号と直流電源をネットワーク端末装置に出力するためのネットワーク通信出力用コネクタとを備え、停電発生時に無停電電源装置に内蔵したバッテリからの電源を前記ネットワーク通信出力用コネクタに供給するようにしたことにより、ＩＰ電話等のＡＣアダプタが不要となり、停電時でもＩＰ電話の着信、通話が可能となる。
【００２０】
また、本発明による無停電電源装置によれば、交流電源出力コンセント及びネットワーク通信出力用コネクタを同時に無停電化することができるため、ＩＰ電話、コンピュータ端末装置、ＷＥＢカメラ等の近くに設置することができるため、ネットワーク端末装置の無停電化が容易に実現することができる。
【００２１】
また、本発明による無停電電源装置によれば、通信ケーブルにより給電が可能であるため、天井又は天井近くの壁に設置された無線ＬＡＮ等のアクセスポイントである送受波器は、電源ラインによる電源供給及び停電対策としてバッテリー等の一次電池が不要となるため、定期的な電池交換等の作業がなくなり、保守点検作業が軽減される。
【００２２】
また、本発明による無停電電源装置によれば、現存する通信ケーブルをネットワーク通信入力用コネクタに接続して、ネットワーク通信出力用コネクタに通信ケーブルを接続することにより、通信ケーブルによる給電が可能となるため、各種のネットワーク端末装置を容易に接続することができ、現存する通信ケーブル網を活用したネットワークシステムの拡張が容易となる。
【００２３】
また、本発明による無停電電源装置によれば、ネットワーク通信入力用コネクタの通信ラインにサージ電圧抑制手段を設けたことにより、通信ラインからの雷等によるサージ電圧を抑制することができるため、ＩＰ電話、コンピュータ端末装置等の電子回路を保護することができる。
【発明を実施するための最良の形態】
【００２４】
以下図面を参照して、本発明による無停電電源装置の最良の形態について説明する。なお、本発明による無停電電源装置は、無停電電源装置に通信ケーブル用の入力コネクタを設けて、入力コネクタからの通信ラインの信号と直流電源をネットワーク端末装置に出力するためのネットワーク通信出力用コネクタを備えて、通信ケーブルを介してネットワーク端末装置に電源を供給することにより、停電発生時に無停電電源装置に内蔵したバッテリからの電源をネットワーク通信出力用コネクタに供給してネットワーク端末装置を無停電化するようにしたものである。
【００２５】
以下、図１を参照して本発明による無停電電源装置について説明する。図１は、本発明による無停電電源装置の構成を示すブロック図である。図１に示すように、無停電電源装置（ＵＰＳ）１は、交流電源の通電、遮断を行う電源スイッチ１４と、電源スイッチ１４からの交流電源を直流に変換するＡＣ／ＤＣコンバータ３と、ＡＣ／ＤＣコンバータ３からの直流電源により蓄電を行うバッテリー６と、停電時にバッテリー６からの直流を交流に変換して交流電源として負荷に供給するＤＣ／ＡＣインバータ４と、ＡＣ／ＤＣコンバータ３からの直流を所定の直流電圧値に変換して、ネットワーク通信出力用コネクタ１７に直流電源を供給するＤＣ／ＤＣコンバータ５と、無停電電源装置１の制御を行う制御回路９とを有している。
【００２６】
図１に示すように、ネットワーク通信入力用コネクタ１６及びネットワーク通信出力用コネクタ１７は、外部の端末装置からの通信ケーブルとの接続が可能であり、ネットワーク通信入力用コネクタ１６には、ＨＵＢ等（図示せず）からの通信ケーブルが接続され、ネットワーク通信入力用コネクタ１６に入力された信号は、ネットワーク通信出力用コネクタ１７に出力するようになっており、このネットワーク通信出力用コネクタ１７には、ＤＣ／ＤＣコンバータ５から直流電源が供給される。ネットワーク通信入力用コネクタ１６及びネットワーク通信出力用コネクタ１７の対は、図１に示す接続例の他、更に複数設けることも可能である。
【００２７】
ＤＣ／ＤＣコンバータ５から出力される直流電源は、制御回路９により制御され、通常は、ネットワーク通信出力用コネクタ１７に直流電源を常時供給する。また、停電が発生した場合には、直流電源としてのバッテリー６からＤＣ／ＤＣコンバータ５に直流電源が供給されて、ネットワーク通信出力用コネクタ１７に直流電源が継続して出力される。
【００２８】
従来、図７，図８に示すように、ＨＵＢ等からの通信ケーブルはＩＰ電話等のネットワーク端末装置に直接接続されていたが、図１に示す無停電電源装置１は、ネットワーク通信入力用コネクタ１６にＨＵＢ等からの通信ケーブルを接続して、ネットワーク通信出力用コネクタ１７から通信ケーブルでＩＰ電話等に接続されるため、通信ケーブルからの給電が可能となり、ＡＣアダプタ等の使用による外部電源の供給の必要がない。
【００２９】
また、図１に示すように、ネットワーク通信入力用コネクタ１６とネットワーク通信出力用コネクタ１７間の各信号ラインには、サージ電圧を抑制するためのサージ電圧抑制回路８が設けられている。サージ電圧抑制回路８は、各信号ラインからダイオード８ｂを経由してサージアブソーバ等からなるサージ電圧抑制素子８ａに接続して、サージ電圧抑制素子８ａの他端よりダイオード８ｂを経由して各信号ラインに接続する構成となっている。サージ電圧抑制回路８は、雷等により通信ケーブルから侵入したサージをサージ電圧抑制素子８ａで抑制するため、ネットワーク通信出力用コネクタ１７に接続され、図示せぬＩＰ電話、コンピュータ端末装置等の電子回路をサージから保護することができる。
【００３０】
また、図１に示すように、無停電電源装置１には、交流電源出力コンセント２１が設けられている。交流電源入力コンセント２０から入力された交流電源は、ＡＣ／ＤＣコンバータ３および電源切替用リレー１０に供給される。図１に示すように、無停電電源装置１のＡＣ／ＤＣコンバータ３は、交流電源からの交流を直流に変換して、変換した直流をＤＣ／ＡＣインバータ４、ＤＣ／ＤＣコンバータ５及びバッテリー６に供給するようになっている。電源切替用リレー１０は、制御回路９の制御により交流電源入力コンセント２０からの交流電源又はＤＣ／ＡＣインバータ４からの交流電源のどちらか一方を、電源出力用リレー１１を経由して交流電源出力コンセント２１に出力するようになっている。交流電源出力コンセント２１は、図に示す接続例の他、更に複数設けることも可能である。
【００３１】
交流電源入力コンセント２０から交流電源が正常に供給されているときには、給電方式が常時商用給電方式の制御の場合には、電源切替用リレー１０は、交流電源入力コンセント２０からの交流電源を出力するようにし、ＤＣ／ＡＣインバータ４は、ＡＣ／ＤＣコンバータ３からの直流の入力を変換するインバータの動作を停止するようにしている。また、給電方式が常時インバータ給電方式の制御の場合は、電源切替用リレー１０は、ＤＣ／ＡＣインバータ４からの交流を出力するようにし、ＤＣ／ＡＣインバータ４は、ＡＣ／ＤＣコンバータ３からの直流の入力を常に交流に変換するインバータの動作を行うようにする。
【００３２】
また、停電が発生して交流電源入力コンセント２０から交流電源が入力されないときには、ＤＣ／ＡＣインバータ４は、制御回路９からの信号により、バッテリー６からの直流を交流に変換して出力する。そして、電源切替用リレー１０は、ＤＣ／ＡＣインバータ４からの交流電源を出力するようにする。
【００３３】
以上述べたように、無停電電源装置１は、通信ケーブル用の入力コネクタを設けて、入力コネクタからの信号と直流電源をネットワーク端末装置に出力するためのネットワーク通信出力用コネクタとを備えて、通信ケーブルを介してネットワーク端末装置に電源を供給することにより、停電発生時に無停電電源装置に内蔵したバッテリ６からの電源をネットワーク通信出力用コネクタに供給してＩＰ電話等のネットワーク端末装置を無停電化することができる。また、コンピュータ端末装置等の交流電源の供給も同時に行うことができるため、電源供給形態が異なるネットワーク端末装置を無停電化することが可能となる。
【００３４】
次に、無停電電源装置１にネットワーク端末装置を接続したネットワークの構成について説明する。図２は、無停電電源装置（ＵＰＳ）にネットワーク端末装置を接続したネットワーク構成の一例を示す図である。なお、図２に示す無停電電源装置１は、４組のネットワーク通信用コネクタおよび４個の無停電化した交流電源出力コンセント２１（２１ａ〜２１ｄ）を有するものである。
【００３５】
図２に示すように、ネットワーク通信入力用コネクタ１６（１６ａ〜１６ｄ）には、ＨＵＢ２４からの通信ケーブル２５（２５ａ〜２５ｄ）が接続される。また、ネットワーク通信出力用コネクタ１７（１７ａ〜１７ｄ）には、ネットワーク端末装置としてのＩＰ電話２６（２６ａ、２６ｂ）、監視等を行うＷＥＢカメラ２８、無線ＬＡＮ用アクセスポイント２９が通信ケーブル２５（２５ｅ〜２５ｈ）を介して接続されている。また、ＩＰ電話２６（２６ａ、２６ｂ）とコンピュータ端末装置２７（２７ａ、２７ｂ）とは、通信ケーブル２５（２５ｉ、２５ｊ）を介して接続されている。ＩＰ電話２６（２６ａ、２６ｂ）、ＷＥＢカメラ２８、無線ＬＡＮ用アクセスポイント２９には、無停電電源装置１のネットワーク通信出力用コネクタ１７（１７ａ〜１７ｄ）から出力される直流電源が通信ケーブル２５（２５ｅ〜２５ｈ）を介して供給される。また、交流電源出力コンセント２１（２１ａ〜２１ｄ）には、ネットワーク端末装置としてのコンピュータ端末装置２７（２７ａ、２７ｂ）の電源ケーブルのコンセントが接続されており、コンピュータ端末装置２７に交流電源が供給される。また、無停電電源装置１の通信用コネクタ１９とコンピュータ端末装置２７とがケーブルで接続されており、停電発生時の停電通知信号及びシャットダウン信号等の通信が行えるようになっている。なお、本発明におけるネットワーク端末装置としては、コンピュータ端末装置２７（２７ａ、２７ｂ）、ＩＰ電話２６（２６ａ、２６ｂ）、ＷＥＢカメラ２８、無線ＬＡＮ用アクセスポイント２９を含む総称として用いている。
【００３６】
無停電電源装置１は、ネットワーク端末装置に通信ケーブルを介して直流電源を供給するため、ＡＣアダプタ等が不要となり、また、停電が発生した以後も直流電源が供給されるため、ＩＰ電話２６の着信、発信が可能となる。
【００３７】
また、無停電電源装置１は、交流電源出力コンセント及びネットワーク通信出力用コネクタを同時に無停電化することができるため、ＩＰ電話２６、コンピュータ端末装置２７、ＷＥＢカメラ２８等の近くに設置することができるため、ネットワーク端末装置の無停電化が容易に実現することができる。
【００３８】
また、無停電電源装置１は、通信ケーブルにより給電が可能であるため、天井又は天井近くの壁に設置された無線ＬＡＮ等のアクセスポイントである送受波器には、停電対策としてのバッテリーが不要となるため、定期的に電池交換等の作業がなくなり、保守点検作業が軽減される。
【００３９】
なお、図２に示す無停電電源装置１では、４組のネットワーク通信用コネクタおよび４個の無停電化した交流電源出力コンセントを備えているが、本発明による無停電電源装置は、上記組み合わせに制限されるものではなく、接続するネットワーク端末装置の数によってネットワーク通信用コネクタおよび無停電化した交流電源出力コンセントの数を増減することができるようになっている。
【００４０】
次に、図３及び図４を参照して、無停電電源装置における通電動作について説明する。図３は、無停電電源装置における通電動作を説明したフローチャート、図４は、無停電電源装置における通電動作のタイミングチャートを示し、（ａ）は、無停電電源装置に供給される交流電源の波形、（ｂ）は、無停電電源装置の交流電源出力コンセントから出力される交流電源の波形、（Ｃ）は、ネットワーク通信出力用コネクタから出力される直流電源の波形を示す図である。
【００４１】
最初に、図１及び図２に示す無停電電源装置１に交流電源を供給するようにする（図３に示すステップＳ１）。次に、オペレータ等が、図１に示す電源スイッチ１４を“ＯＮ”にする。電源スイッチ１４が“ＯＮ”となったタイミングを図４（ａ）に示すｔ１で示す
。図１に示す電源スイッチ１４を“ＯＮ”にすると、ＡＣ／ＤＣコンバータ３に交流電源が通電され、制御回路９に内蔵されたコンピュータが始動する（ステップＳ２）。制御回路９は、電源切替用リレー１０を交流電源側に切り替えて、次に、電源出力用リレー１１を閉じる（ステップＳ３）。これにより、図４（ｂ）に示すｔ２で交流電源が交流電源出力コンセント２１から出力される。次に、制御回路９は、ＤＣ／ＤＣコンバータを“ＯＮ”にして、ネットワーク通信出力用コネクタ１７に直流電源を供給するようにする（ステップＳ４）。これにより、図４（ｃ）に示すように、交流電源出力コンセント２１に接続された通信ケーブルを介してネットワーク端末装置に直流電圧値Ｖが供給される。
【００４２】
以上により、外部から交流電源が供給されているときには、図１、図２に示す交流電源出力コンセント２１（２１ａ〜２１ｄ）及びネットワーク通信出力用コネクタ１７（１７ａ〜１７ｄ）に常時電源が供給される。
【００４３】
次に、無停電電源装置１の点検等で運転を停止する際の処理について述べる。制御回路９は、電源スイッチ１４が“ＯＦＦ”であるかをチェックする（ステップＳ５）。オペレータ等が、図１に示す電源スイッチ１４を“ＯＦＦ”にする。電源スイッチ１４が“ＯＦＦ”となったタイミングを図４（ａ）に示すｔ３で示す。電源スイッチ１４が“ＯＦＦ”になったときには、制御回路９は、電源出力用リレー１１の接点を開く（ステップＳ６）。これにより、図４（ｂ）に示すように、交流電源出力コンセント２１への交流出力が遮断される。次に、制御回路９は、ＤＣ／ＤＣコンバータを“ＯＦＦ”にして、ネットワーク通信出力用コネクタ１７に直流電源を遮断するようにする （ステップＳ７）。以上により、交流電源出力コンセント２１及びネットワーク通信出力用コネクタ１７への電源供給が停止する。
【００４４】
次に、図５及び図６を参照して停電発生時の無停電電源装置の動作について説明する。図５は、停電発生時の無停電電源装置の動作を説明したフローチャート、図６は、停電発生時の無停電電源装置の動作を示すタイミングチャートであり、（ａ）は、無停電電源装置に供給される交流電源の波形、（ｂ）は、無停電電源装置の交流電源出力コンセントから出力される交流電源の波形、（ｃ）は、無停電電源装置の通信コネクタから出力される停電通知信号の波形、（ｄ）は、ネットワーク通信出力用コネクタから出力される直流電源の波形を示す図である。
【００４５】
無停電電源装置１は、図１に示す電源スイッチ１４が“ＯＮ”の状態であり、図１、図２に示す交流電源出力コンセント２１（２１ａ〜２１ｄ）及びネットワーク通信出力用コネクタ１７（１７ａ〜１７ｄ）に常時電源が供給された状態で、無停電電源装置１に外部から供給する交流電源が停電となったときの動作を説明する。なお、無停電電源装置１の停電動作は、電源容量の大きなコンピュータ端末装置２７をシャットダウンして、ＩＰ電話２６等にバッテリーの電力を優先して供給するものである。
【００４６】
図５に示すように、制御回路９は入力交流電源の電圧をチェックして停電であるかを判断する（ステップＳ２０）。入力交流電源の電圧値が所定値以下のときには、図６（ａ）に示すｔ５で停電発生と判断してＤＣ／ＡＣインバータ４を“ＯＮ”にする（ステップＳ２１）。次に、制御回路９は、電源切替用リレー１０をＤＣ／ＡＣインバータ４側に閉じるようにする（ステップＳ２２）。これにより、図６（ｂ）に示すように、ｔ５以後も、ＤＣ／ＡＣインバータ４からの交流電源が、交流電源出力コンセント２１に出力される。次に、制御回路９は、図６（ｃ）に示すｔ６のタイミングで通信用コネクタ１９から停電通知信号をコンピュータ端末装置２７に出力し、同時に警報も出力する（ステップＳ２３）。制御回路９は、停電通知信号を出力後、コンピュータ端末装置２７からのシャットダウン信号を受信するようにする（ステップＳ２４）。コンピュータ端末装置２７は、無停電電源装置１からの停電通知信号を受信後、処理中のデータの格納、実行中のプログラム等を終了して、電源遮断に備えるようにする。そして、電源遮断のための処理が終了した時点で、無停電電源装置１にシャットダウン信号を出力するようにする。
【００４７】
制御回路９は、図６（ｃ）に示すｔ７のタイミングでシャットダウン信号を受信後、電源出力リレー１１の接点を開く（ステップＳ２５）。これにより、図６（ｂ）に示すように、交流電源出力コンセント２１への交流出力が遮断される。そして、制御回路９は、ＤＣ／ＡＣインバータ４を“ＯＦＦ”にして変換動作を停止するようにする（ステップＳ２６）。図６（ｄ）に示すように、バッテリー６からの電源がＤＣ／ＤＣコンバータ５によりネットワーク通信出力用コネクタ１７に直流電圧値Ｖが継続して供給される。なお、制御回路９は、バッテリー６の残容量が所定の値以下になったとき（ステップＳ２７）、または、前もって設定した停電発生時からの直流給電時間を経過したときには、ＤＣ／ＡＣインバータ４を“ＯＦＦ”にしてネットワーク通信出力用コネクタ１７への電源供給が停止し、警報を発するようにする（ステップＳ２８）。
【００４８】
また、図６（ａ）に示すｔ９のタイミングで交流電源が通電されたときには、制御回路９は、電源切替用リレー１０を交流電源側に切り替えて、入力交流電源を交流電源コンセント２１に供給する。
【００４９】
なお、図２に示すように、無停電電源装置が、交流電源出力コンセント２１及びネットワーク通信出力用コネクタ１７を複数有している場合には、制御回路９によって、交流電源出力コンセント２１及びネットワーク通信出力用コネクタ１７の電源出力タイミング及び電源遮断タイミングをプログラマブルに設定できるようになっている。これにより図５及び図６に示す以外の動作も可能となっており、交流電源出力コンセント２１又はネットワーク通信出力用コネクタ１７に接続する機器に適した電源出力タイミング及び電源遮断タイミングを設定することができる。
【００５０】
以上述べたように、電源容量の大きなコンピュータ端末装置をシャットダウンして、ＩＰ電話等にバッテリーの電力を優先して供給するため、停電中でもＩＰ電話の着信、発信が長時間可能となる。
【図面の簡単な説明】
【００５１】
【図１】本発明による無停電電源装置の構成を示すブロック図である。
【図２】無停電電源装置にネットワーク端末装置を接続した一例を示す図である。
【図３】無停電電源装置における通電動作を説明したフローチャートである。
【図４】無停電電源装置における通電動作のタイミングチャートである。
【図５】停電発生時の無停電電源装置の動作を説明したフローチャートである。
【図６】停電発生時の無停電電源装置の動作を示すタイミングチャートである。
【図７】ネットワーク端末装置に従来の無停電電源装置を用いてネットワークを構成した一例を示す図である。
【図８】ＰｏＥ機能を備えた無停電電源装置を用いたネットワーク構成の一例を示す図である。
【符号の説明】
【００５２】
１    無停電電源装置（ＵＰＳ）
３    ＡＣ／ＤＣコンバータ
４    ＤＣ／ＡＣインバータ
５    ＤＣ／ＤＣコンバータ
６    バッテリー
８    サージ電圧抑制回路
８ａ  サージ電圧抑制素子
８ｂ  ダイオード
９    制御回路
１０  電源切替用リレー
１１  電源出力用リレー
１４  電源スイッチ
１６  ネットワーク通信入力用コネクタ
１７  ネットワーク通信出力用コネクタ
１９  通信用コネクタ（シャットダウン用）
２０  交流電源入力コンセント
２１  交流電源出力コンセント
２３  通信網
２４  ハブ（ＨＵＢ）
２５  通信ケーブル
２６、３３  ＩＰ電話
２７  コンピュータ端末装置
２８  ＷＥＢカメラ
２９  無線ＬＡＮ用アクセスポイント
３０  従来の無停電電源装置（ＵＰＳ）
３１  ＰｏＥ機能付ＨＵＢ
３５  ＡＣアダプタ
【図１】
2007060802.tif 000003
【図２】
2007060802.tif 000004
【図３】
2007060802.tif 000005
【図４】
2007060802.tif 000006
【図５】
2007060802.tif 000007
【図６】
2007060802.tif 000008
【図７】
2007060802.tif 000009
【図８】
2007060802.tif 000010